(57)【要約】      （修正有）【課題】内部に収納された保冷具の保冷効果を緩め、保冷具を長時間使用可能とした緩保冷装置を提供する。【解決手段】袋の内部に水より高い粘性を有する流動体が密閉された保冷具１１を収納する緩保冷装置１０であって、表面に布地が貼着された厚みが２〜７ｍｍの発泡性ゴムシート１４、１５によって作られた柔軟性を有する袋状体１０ａからなり、袋状体１０ａは密閉されているか、ファスナーによって開閉可能な開口部が設けられている。【選択図】図１
0003148861.tif 000002
【実用新案登録請求の範囲】
【請求項１】
袋の内部に水より高い粘性を有する流動体が密閉された保冷具を収納する緩保冷装置であって、表面に布地が貼着された厚みが２〜７ｍｍの発泡性ゴムシートによって作られた柔軟性を有する袋状体からなることを特徴とする緩保冷装置。
【請求項２】
請求項１記載の緩保冷装置において、前記袋状体の表側の発泡性ゴムシートと裏側の発泡性ゴムシートは、全体の熱伝導率が異なり、一方が他方より熱伝導性が悪くなっていることを特徴とする緩保冷装置。
【請求項３】
請求項１及び２のいずれか１項に記載の緩保冷装置において、前記袋状体は密閉構造であることを特徴とする緩保冷装置。
【請求項４】
請求項１及び２のいずれか１項に記載の緩保冷装置において、前記袋状体は前記保冷具の収納及び取り出しが可能な開口部を有していることを特徴とする緩保冷装置。
【請求項５】
請求項４記載の緩保冷装置において、前記開口部の内側には対となるフックテープ及びループテープからなる面状ファスナーが設けられていることを特徴とする緩保冷装置。
【請求項６】
請求項４記載の緩保冷装置において、前記開口部には、ジッパー、ホック又はボタンからなるファスナーが設けられていることを特徴とする緩保冷装置。
【請求項７】
請求項１〜６のいずれか１項に記載の緩保冷装置において、前記袋状体は平面視して縦が１０〜２０ｃｍ、横が２０〜３５ｃｍの長方形であることを特徴とする緩保冷装置。
【請求項８】
請求項１〜７のいずれか１項に記載の緩保冷装置において、前記袋状体には、該袋状体を患部に取り付けるためのバンドが設けられていることを特徴とする緩保冷装置。  
【請求項９】
請求項１〜７のいずれか１項に記載の緩保冷装置において、前記袋状体には、該袋状体を患部に取り付けるための少なくとも２本の紐が設けられていることを特徴とする緩保冷装置。
【請求項１０】
請求項１〜９のいずれか１項に記載の緩保冷装置において、前記保冷具内の流動体はゼリー状物又は糊状物であることを特徴とする緩保冷装置。
【考案の詳細な説明】
【技術分野】
【０００１】
本考案は内部に保冷具（市販の物が好ましい）を入れて、保冷効果を適当に弱め、更には保冷具の保冷時間を延長させる緩保冷装置に関する。
【背景技術】
【０００２】
袋の内部にゼリー状物を入れ、冷蔵庫に入れてゼリー状物を冷却し、そのまま患部に当てると冷たいので、タオル等に巻いて使用する保冷具が市販されている。
更には、特許文献１に記載のように、バンドの一部に収納部を設け、ここに前記した保冷具を収納し、頭等の患部に巻く保冷具カバーも提案されている。
また、特許文献２には乳幼児を暑気や寒気から守るための保温保冷具も提案されている。
【０００３】
【特許文献１】実用新案登録第３０９０２７７号公報
【特許文献２】実用新案登録第３０７４０６９号公報
【考案の開示】
【考案が解決しようとする課題】
【０００４】
しかしながら、特許文献１、２記載の技術においては、保冷具を単に収納及び取り出し可能な袋体の内部に入れて、この袋体によって緩冷却を行っているので、場合によって一部が露出することもあって、保冷時間が短いという問題があった。
また場合によっては、保冷具が効き過ぎるので、保冷具を再度ティッシュやハンカチ等で包んで袋体の内部に収納する必要もあった。
【０００５】
本考案はかかる事情に鑑みてなされたもので、保冷具の保冷効果を緩め、保冷具を長時間使用可能とした緩保冷装置を提供することを目的とする。
【課題を解決するための手段】
【０００６】
前記目的に沿う第１の考案に係る緩保冷装置は、袋の内部に水より高い粘性を有する流動体（例えば、ゼリー状物や糊状物）が密閉された保冷具を収納する緩保冷装置であって、表面に布地が貼着された厚みが２〜７ｍｍの発泡性ゴムシートによって作られた柔軟性を有する袋状体からなる。
【０００７】
また、第２の考案に係る緩保冷装置は、第１の考案に係る緩保冷装置において、前記袋状体の表側の発泡性ゴムシートと裏側の発泡性ゴムシートは、全体の熱伝導率が異なり、一方が他方より熱伝導性が悪くなっている。
第３の考案に係る緩保冷装置は、第１又は第２の考案に係る緩保冷装置において、前記袋状体は密閉構造である。
【０００８】
第４の考案に係る緩保冷装置は、第１又は第２の考案に係る緩保冷装置において、前記袋状体は前記保冷具の収納及び取り出しが可能な開口部を有している。
【０００９】
第５の考案に係る緩保冷装置は、第４の考案に係る緩保冷装置において、前記開口部の内側には対となるフックテープ及びループテープからなる面状ファスナーが設けられている。
【００１０】
第６の考案に係る緩保冷装置は、第４の考案に係る緩保冷装置において、前記開口部には、ジッパー、ホック又はボタンからなるファスナーが設けられている。
【００１１】
第７の考案に係る緩保冷装置は、第１〜第６のいずれかの考案に係る緩保冷装置において、前記袋状体は平面視して縦が１０〜２０ｃｍ、横が２０〜３５ｃｍの長方形である。
【００１２】
第８の考案に係る緩保冷装置は、第１〜第７のいずれかの考案に係る緩保冷装置において、前記袋状体には、該袋状体を患部に取り付けるためのバンドが設けられている。
【００１３】
そして、第９の考案に係る緩保冷装置は、第１〜第７のいずれかの考案に係る緩保冷装置において、前記袋状体には、該袋状体を患部に取り付けるための少なくとも２本の紐が設けられている。
【考案の効果】
【００１４】
請求項１〜１０記載の緩保冷装置は、袋の内部に水より高い粘性を有する流動体が密閉された保冷具を収納する緩保冷装置であって、表面に布地が貼着された厚みが２〜７ｍｍの発泡性ゴムシートによって作られた柔軟性を有する袋状体からなり、袋状体の熱伝導性が悪いので、保冷具の冷却を和らげる。そして、保冷具全体が袋状体内に収納されているので、周囲からの熱の吸収が遅く保冷具の寿命を長くする。
【００１５】
請求項２記載の緩保冷装置において、袋状体の表側の発泡性ゴムシートと裏側の発泡性ゴムシートは、全体の熱伝導率が異なり、一方が他方より熱伝導性が悪くなっているので、表側と裏側を使い分けることができる他、患部に当てる方より患部に当てない側の熱伝導率を悪くして、保冷具の冷却機能を更に延長するようにできる。なお、発泡性ゴムシートの熱伝導率を変える手段としては発泡性ゴムシートの厚みを変える場合、発泡性ゴムシートの材質を変える場合、発泡性ゴムシートの気泡率を変える場合等がある。
【００１６】
請求項３記載の緩保冷装置は、袋状体が密閉構造であるので、断熱性を最大限に高めることができ、保冷具の保冷時間を延ばすことができる。
【００１７】
請求項４記載の緩保冷装置は、袋状体が保冷具の収納及び取り出しが可能な開口部を有しているので、市販の保冷具を使用できる他、保冷具を取り出して冷蔵庫で簡単かつ短時間で冷やすことができる。
【００１８】
請求項５記載の緩保冷装置は、開口部の内側に対となるフックテープ及びループテープからなる面状ファスナーが設けられているので、開口部を開閉でき、これによって断熱性能を高めることができる他、保冷具の不用意な落下等も無くなる。
【００１９】
請求項６記載の緩保冷装置において、開口部には、ジッパー、ホック又はボタンからなるファスナーが設けられているので、開口部を開閉でき、これによって断熱性能を高めることができる他、保冷具の不用意な落下等も無くなる。
【００２０】
請求項７記載の緩保冷装置において、袋状体は平面視して縦が１０〜２０ｃｍ、横が２０〜３５ｃｍの長方形であるので、市販の保冷具を収納するのに適当な大きさであり、更に、頭部などの患部を冷やすのに適当な大きさである。
【００２１】
請求項８記載の緩保冷装置は、袋状体に、袋状体を患部に取り付けるためのバンドが設けられているので、患部への装着が容易となる。
【００２２】
請求項９記載の緩保冷装置は、袋状体に、袋状体を患部に取り付けるための少なくとも２本の紐が設けられているので、患部への装着及び固定が容易となる。
【考案を実施するための最良の形態】
【００２３】
続いて、添付した図面を参照しつつ、本考案を具体化した実施の形態につき説明し、本考案の理解に供する。
ここで、図１は本考案の第１の実施の形態に係る緩保冷装置の平面図、図２（Ａ）、（Ｂ）は図１における矢視Ａ−Ａ’断面図、図３は本考案の第２の実施の形態に係る緩保冷装置の平面図、図４は本考案の第３の実施の形態に係る緩保冷装置の平面図、図５は本考案の第４の実施の形態に係る緩保冷装置の平面図である。
【００２４】
図１、図２に示すように、本考案の第１の考案に係る緩保冷装置１０は、袋の内部に水より高い粘性を有する流動体（ゼリー状物、糊状物）が密閉された保冷具１１を収納する袋状体１０ａからなって、表面にそれぞれ布地１２、１３が貼着された厚みが２〜７ｍｍ（より好ましくは、３〜６ｍｍ、更に好ましくは、４〜６ｍｍ）の表側と裏側の発泡性ゴムシート１４、１５によって作られている。なお、この発泡性ゴムシート１４、１５は潜水服に使用されている独立気泡を有するクロロプレンゴムシートを用いるのが好ましいが、断熱性と柔軟性を有するものであれば、他の発泡性ゴムシートであっても適用可能である。前記厚みは、それぞれ布地１２、１３の厚みと発泡性ゴムシート１４、１５の両方の厚みを加えたものである。
【００２５】
平面視して長方形の発泡性ゴムシート１４、１５は縦ａが、例えば１０〜２０ｃｍ、横ｂが２０〜３５ｃｍ（以下の第２、第３の実施の形態においても同様）となって、発泡性ゴムシート１４、１５の端部は、図２（Ａ）に示すように、突き合わせて接着剤で接合し、外側の布地１２、１３の端部は掛け縫い等で縫合されている。この緩保冷装置１０の周囲、即ち、発泡性ゴムシート１４、１５の周囲全部が接合されて、内部に保冷具１１を収納した状態で密閉構造となっている。
【００２６】
なお、発泡性ゴムシート１４、１５の端部の接合は、突き合わせ面を接着剤で接合する方法ではなく、図２（Ｂ）に示すように、発泡性ゴムシート１４、１５の端部を重合し、重合面１６を接着剤で接合することもできる。この場合、外側の布地１２、１３の端部は発泡性ゴムシート１４、１５の切断面１７、１８に合わせて切断してもよいし、切断面１７、１８を布地１２、１３の一部又は他の布地で覆ってもよい。
【００２７】
この緩保冷装置１０の使用にあっては、最初にこの緩保冷装置１０を冷蔵庫又は冷凍庫に入れて、内部の保冷具１１を十分に冷やしておく。この場合、保冷具１１は断熱性を有する袋状体１０ａ内に収納されているので、時間はかかるが、例えば、半日程度の冷蔵庫又は冷凍庫への収納で完全に冷却される。
使用する場合、通常の保冷具と同様にして使用する。
【００２８】
続いて、図３に示す本考案の第２の実施の形態にかかる緩保冷装置２０について説明する。この緩保冷装置２０においては袋状体２１の３方２３〜２５が閉塞されて、他の一方に開口部２２を有している。袋状体２１は表側と裏側の発泡性ゴムシート１４、１５とを有し、この発泡性ゴムシート１４、１５の表面には布地１２、１３が貼着されている。
【００２９】
発泡性ゴムシート１４、１５の開口部２２を除く３方２４〜２５の端部の接合は、図２（Ａ）に示すように突き合わせ接合であってもよいし、図２（Ｂ）に示すように重合接合であってもよく、これらの接合手段を組み合わせたものであってもよい。
袋状体２１の開口部２２の内側の発泡性ゴムシート１４、１５には、フックテープとループテープの組み合わせからなる面状ファスナー２７が設けられている。この面状ファスナー２７の一端部は、開口部２２の端から２〜５ｍｍ（ｃで示す）程度内側に配置され、開口部２２を開く場合、開け易くなっている。
【００３０】
この実施の形態に係る緩保冷装置２０においては、開口部２２に面状ファスナー（ファスナーの一例）が設けられているが、ファスナー等を設けず開放させておくこともできる。この場合、開口部２２の周囲、即ち、発泡性ゴムシート１４、１５の一部に直線状の弾性材（即ち、湾曲曲げに対する復元性を有する）を配置することによって、開口部２２の開閉を行うようにすることもできる（以下の実施の形態においても同じ）。
【００３１】
この袋状体２１の長手方向両側には、バンド２８が設けられている。このバンド２８はゴムバンドであってもよいし、端部に対となる連結手段を有する布又は合成樹脂製のバンドであってもよい。なお、バンド２８の端部は発泡性ゴムシート１４、１５に接合されている。これによって、この緩保冷装置２０を患部に容易に装着及び固定ができる。また、開口部２２を有しているので、中の保冷具１１の取り出しができ、市販の保冷具を使用でき、交換も容易となる。
【００３２】
図４には本考案の第３の実施の形態に係る緩保冷装置３０が示されているが、この緩保冷装置３０は一方に開口部３１が設けられ、他の３方は閉塞されて袋状体３２となっている。そして、袋状体３２の長手方向両側にはそれぞれ対となる紐３３〜３６が設けられている。開口部３１にはファスナーの一例であるジッパー３７が設けられ、開口部３１の開閉を行い、内部の保冷具１１の交換ができるようになっている。なお、表側及び裏側の発泡性ゴムシート１４、１５の３方の閉塞手段は、第１の実施の形態に係る緩保冷装置１０と同一であるので、その説明を省略する。
【００３３】
図５に本考案の第４の実施の形態に係る緩保冷装置４０を示すが、平面視して長円形の発泡性ゴムシート４１、４２を上下に重ねてその周縁を固着して（図２参照）、袋状体４３としている。この袋状体４３は、内部に保冷具１１を収納し、その一部に保冷具１１の収納及び取り出し用の開口部４４が設けられている。開口部４４の内側にはファスナーの一例であるホック（又はボタン）４５〜４７が設けられ、収納した保冷具１１が袋状体４３から不用意に飛び出さないようになっている。
【００３４】
表側及び裏側の発泡性ゴムシート４１、４２の３方の閉塞手段は、第１の実施の形態に係る緩保冷装置１０と同一である。なお、発泡性ゴムシート４１、４２の外側には布地を有する。そして、この緩保冷装置４０においては、両側にバンド４８が設けられて、患部にこの緩保冷装置４０を固定できる構造となっている。
この緩保冷装置４０においても、寸法は略第１〜第３の実施の形態に係る緩保冷装置１０、２０、３０と同一となっている。
【００３５】
なお、以上の実施の形態において、表側と裏側の発泡性ゴムシート１４、１５、４１、４２の断熱性能を変えることもできる。この場合、患部に当接する側（例えば、表側）の発泡性ゴムシート１４、４１の厚みを裏側の発泡性ゴムシート１５、４２より薄くするか、あるいは独立気泡の数を変えて、裏側の発泡性ゴムシート１５、４２の熱伝導度を表側の発泡性ゴムシート１４、４１より悪くすることもできる。これによって、患部に当接する側の冷却性能を適切に制御し、更に長時間の保冷を行うことができる。
【００３６】
前記実施の形態においては、理解を容易にするため具体的な寸法を用いて説明したが、本考案はこれらの寸法や形状以外のものであっても適用される。
また、第１〜第４の実施の形態に係る緩保冷装置１０、２０、３０、４０の構成要素を交互に入れ換えて使用する場合も、本考案は適用されるものである。
【図面の簡単な説明】
【００３７】
【図１】本考案の第１の実施の形態に係る緩保冷装置の平面図である。
【図２】（Ａ）、（Ｂ）は図１における矢視Ａ−Ａ’断面図である。
【図３】本考案の第２の実施の形態に係る緩保冷装置の平面図である。
【図４】本考案の第３の実施の形態に係る緩保冷装置の平面図である。
【図５】本考案の第４の実施の形態に係る緩保冷装置の平面図である。
【符号の説明】
【００３８】
１０：緩保冷装置、１０ａ：袋状体、１１：保冷具、１２、１３：布地、１４、１５：発泡性ゴムシート、１６：重合面、１７、１８：切断面、２０：緩保冷装置、２１：袋状体、２２：開口部、２３〜２５：３方、２７：面状ファスナー、２８：バンド、３０：緩保冷装置、３１：開口部、３２：袋状体、３３〜３６：紐、３７：ジッパー、４０：緩保冷装置、４１、４２：発泡性ゴムシート、４３：袋状体、４４：開口部、４５〜４７：ホック、４８：バンド
【図１】
0003148861.tif 000003
【図２】
0003148861.tif 000004
【図３】
0003148861.tif 000005
【図４】
0003148861.tif 000006
【図５】
0003148861.tif 000007